(57)【要約】【課題】  ネットワークに接続して共有の外部記憶装置に読み取ったイメージデータを転送蓄積するようにして資源を有効利用し、また操作性を向上する。【解決手段】  装置に内蔵したプログラムに基き動作および接続制御する主制御部と、読み取ったイメージデータを所定の圧縮データに圧縮するデータ圧縮部と、上記圧縮データを所定のフォーマットに変換するフォーマット変換部と、記憶装置に上記フォーマット変換後のデータを転送する転送制御部と、を備えて、上記主制御部は、複数の上記記憶装置を転送先として登録する工程Ｓ４１と、読み取ったイメージデータの圧縮方式を上記記憶装置毎に選択する工程Ｓ４４と、上記イメージデータのフォーマット形式を上記記憶装置毎に選択する工程Ｓ４５と、複数の上記記憶装置に上記選択された圧縮方式によるイメージデータを上記選択されたフォーマット形式で変換後のデータを転送指示する工程と、を備えた。【選択図】        図９
2005102248.tif 000002
【特許請求の範囲】
【請求項１】
装置に内蔵したプログラムに基き動作および接続制御する主制御部と、
読み取ったイメージデータを所定の圧縮データに圧縮するデータ圧縮部と、
上記圧縮データを所定のフォーマットに変換するフォーマット変換部と、
記憶装置に上記フォーマット変換後のデータを転送する転送制御部と、を備えて、
上記主制御部は、複数の上記記憶装置を転送先として登録する工程と、
読み取ったイメージデータの圧縮方式を上記記憶装置毎に選択する工程と、
上記イメージデータのフォーマット形式を上記記憶装置毎に選択する工程と、
複数の上記記憶装置に上記選択された圧縮方式によるイメージデータを上記選択されたフォーマット形式で変換後のデータを転送指示する工程と、を備えたことを特徴とするネットワーク接続イメージスキャナ装置。
【請求項２】
装置に内蔵したプログラムに基き動作および接続制御する主制御部と、
必要に応じて圧縮されたイメージ読み取り後のデータをフォーマット変換するフォーマット変換部と、
記憶装置に上記フォーマット変換後のデータを転送する転送制御部と、を備えて、
上記主制御部は、転送先情報を登録する工程と、
出力先となる上記記憶装置を選択する工程と、
該記憶装置に対して読み取ったイメージデータのフォーマット形式を選択する工程と、を備えて、
上記登録する工程では、上記選択された記憶装置毎にフォーマット形式を登録することを特徴とするネットワーク接続イメージスキャナ装置。
【請求項３】
読み取ったイメージデータを所定の圧縮方式で圧縮するデータ圧縮部を備えて、
主制御部は、記憶装置に対して読み取ったイメージデータの圧縮方式を対応して選択する工程を備えて、
登録する工程では、上記選択された記憶装置毎に圧縮形式を登録することを特徴とする請求項２記載のネットワーク接続イメージスキャナ装置。
【発明の詳細な説明】
【技術分野】
【０００１】
本発明は、資源を有効活用するために文書の電子化用のイメージ読み取り装置をネットワークに接続した構成に関するものである。
【背景技術】
【０００２】
近年、保存ファイルの省スペース化、ペーパレス化の目的で文書の電子化が進んでいる。文書、特にイメージデータの入力のために、従来技術では、例えばＥＰＳＯＮ社製のＳｃａｎ！‖などのイメージスキャナ装置を独立して設けている。
ところで、この文書の電子化用イメージスキャナ装置には、文書をイメージに変換する部分と、データをファイル形式で保持するデータ蓄積部分とが必要である。そして、蓄積したデータは、ファイル検索のためのキーワード情報等のファイル属性を追加して、大容量の外部記憶装置に再蓄積する方法がとられている。従ってイメージスキャナ装置は、ＯＡ機器としては独立した装置となっており、データ検索までも一括して同一装置で行いたいパーソナル用途としては使い勝手がよくはなかった。
一方、パソコンの性能が向上し、ネットワーク化が進むと各人が所有するパソコン（以下ＰＣと記述）、ワークステーション（以下ＷＳと記述）には、イメージデータの描画用の汎用アプリケーションソフトが搭載されるようになり、自分のＰＣまたはＷＳ上からイメージデータを管理し参照・閲覧することができるようになってきている。
一方、ＰＣネットワーク化が進むと、ネットワーク上の資源を共有してデータ処理するのが一般的になってきた。イメージデータの入力装置に対する要求も例外ではなく、データ入力資源として共有化できること、また操作性がよいことが要求されている。
しかし、従来技術で説明したように、現状は独立した機器間をデータを伝送する形式をとっており、上述の要求を満たしていない。
【０００３】
図１０は従来技術によるイメージスキャナ装置の機能ブロック構成図である。図において、１０１は主制御部で、本装置全体の制御を行う。１０２はＲＯＭ部で、システム全体の制御を行うプログラムが格納されている。
１０４は画像を光学的に読みとるための読み取り部、１０３は読み取り部で読みとった文書情報や管理情報を一時的に記憶するＲＡＭ部、１０５は読みとったイメージ画像データを圧縮する圧縮・伸長部である。１０６は通信制御部で、圧縮されたデータが通信制御部１０６から専用のインターフェイスを介しデータ制御装置へ転送される。１２０はこれらの要素から構成されるイメージスキャナ装置である。
一方、ＰＣ上等で動作するデータ制御装置（部）１２０は、次のような構成となっている。１０７は通信制御部でイメージスキャナ装置（部）からのデータの読み込みと、イメージスキャナ部を制御するコントロール信号の通信を行う。１０８はイメージスキャン部の制御を行うスキャナ制御部、１０９はデータ登録部で、イメージスキャン部から取り込んだデータを蓄積保存するためのデータフォーマットに変換する。１１０は読み取りデータ蓄積部で変換されたデータを蓄積する。
【０００４】
次に動作について説明する。
イメージスキャナ部１２０に原稿を置き、スキャナ制御部１０８より読み取り開始の信号を送る。このトリガによりイメージスキャナ部１２０では光学的に原稿を読みとり、読みとったデータを一旦ＲＡＭ部に蓄積する。これらの蓄積データは、圧縮・伸長部１０５でデータ圧縮され、通信制御部１０６を介してデータ制御部１３０に送られる。
データ制御部１３０では、通信制御部でそのデータを受け取り、一時蓄積用ＲＡＭ部１１に蓄積する。この蓄積されたデータは、スキャナ制御部１０８にてファイルの形式を指定し、データ登録部１０９にてフォーマット変換を行い、読み取りデータ蓄積部１１０にて保持・蓄積される。
【特許文献１】特開平８−２８９０６７号公報
【特許文献２】特開平７−３０７３２号公報
【発明の開示】
【発明が解決しようとする課題】
【０００５】
従来のイメージスキャナ装置は上記のように構成されており、データ変換された後、対応する専用のデータ蓄積部に保持されて閉じており、外部からイメージスキャナを共用できる構成とはなっていなかった。このため使用者はその度毎にイメージスキャナを操作し、得られたデータを自身の記録媒体にコピーする必要があり、共用度が低いという課題があった。
【０００６】
この発明は上記の課題を解決するためになされたもので、ネットワークに接続して共有の外部記憶装置に読み取ったイメージデータを転送蓄積するようにして資源を有効利用し、また操作性を向上することを目的とする。
【課題を解決するための手段】
【０００７】
この発明に係るネットワーク接続イメージスキャナ装置は、装置に内蔵したプログラムに基き動作および接続制御する主制御部と、
読み取ったイメージデータを所定の圧縮データに圧縮するデータ圧縮部と、
上記圧縮データを所定のフォーマットに変換するフォーマット変換部と、
記憶装置に上記フォーマット変換後のデータを転送する転送制御部と、を備えて、
上記主制御部は、複数の上記記憶装置を転送先として登録する工程と、
読み取ったイメージデータの圧縮方式を上記記憶装置毎に選択する工程と、
上記イメージデータのフォーマット形式を上記記憶装置毎に選択する工程と、
複数の上記記憶装置に上記選択された圧縮方式によるイメージデータを上記選択されたフォーマット形式で変換後のデータを転送指示する工程と、を備えた。
【０００８】
また、この発明に係るネットワーク接続イメージスキャナ装置は、装置に内蔵したプログラムに基き動作および接続制御する主制御部と、
必要に応じて圧縮されたイメージ読み取り後のデータをフォーマット変換するフォーマット変換部と、
記憶装置に上記フォーマット変換後のデータを転送する転送制御部と、を備えて、
上記主制御部は、転送先情報を登録する工程と、
出力先となる上記記憶装置を選択する工程と、
該記憶装置に対して読み取ったイメージデータのフォーマット形式を選択する工程と、を備えて、
上記登録する工程では、上記選択された記憶装置毎にフォーマット形式を登録することを特徴とする。
また、読み取ったイメージデータを所定の圧縮方式で圧縮するデータ圧縮部を備えて、
主制御部は、記憶装置に対して読み取ったイメージデータの圧縮方式を対応して選択する工程を備えて、
登録する工程では、上記選択された記憶装置毎に圧縮形式を登録することを特徴とする。
【発明の効果】
【０００９】
以上のようにこの発明によれば、ネットワーク制御部を備えて外部記憶装置へイメージデータを変換して転送するようにしたので、資源の利用効率が向上し操作性もよくなる効果がある。
【発明を実施するための最良の形態】
【００１０】
実施の形態１．
図１は本発明の実施の形態１におけるネットワーク接続イメージスキャナ装置の構成を示すブロック図である。また図２は本実施の形態における図１の構成による装置が行う動作を示すフローチャートである。
本実施の形態の装置は、イメージスキャナ装置にネットワーク接続の機構を付加し、共有の外部記憶装置に読み取りデータを転送することで複写機でコピーをするのと同様の簡単な操作で文書の電子化を可能とし、ネットワークに接続した任意の端末等でその読み取ったイメージデータを利用可能とした。
図１において、１１の主制御部はプロセッサであり、本装置全体の制御を行う。１２はＲＯＭ部で、システム全体の制御を行うプログラムが格納されている。１６はパネル部で装置の起動や各種設定を入力・表示させる。１５は読み取り部で画像を光学的に読みとるスキャナとなっている。１３はＲＡＭ部で、読み取り部１５で読みとった文書情報や管理情報を一時的に記憶する。１７はデータ圧縮部で、読みとったイメージ画像データを圧縮する。
１４はフォーマット変換部で、圧縮されたデータのフォーマットを変換する。１８はＬＡＮ制御部で、ネットワーク接続のための制御とネットワーク上にある外部記憶装置へフォーマット変換後のデータを転送するための制御を行う。１は上述の各要素で構成されるネットワーク接続型のイメージスキャナ装置である。
１９はネットワーク上に存在する外部記憶装置（ファイルサーバ）であり、ＬＡＮ上の他のノード（ＬＡＮ接続機器）から共有されている。
【００１１】
本発明の実施の形態１の装置について、図２を参照して動作を説明する。
まず、ステップＳ１でイメージスキャナ装置１のパネル部１６からの指示またはイメージスキャナ装置１の起動時の処理で、ＬＡＮ制御部１８に指示して、パネル部からの入力または予め設定しおいたネットワーク情報をもとに、ネットワーク上の外部記憶装置（ファイルサーバ）１９を共有する。
ステップＳ２では、原稿をスキャナ部１５にセットしパネル部１６からファイル名を入力しスタートボタンを押すと、セットした原稿が読みとられてイメージデータとして入力される。ステップＳ３では、圧縮部１７によってデータが圧縮され、一旦ＲＡＭ部１３に蓄積される。ステップＳ４で、蓄積されたデータはフォーマット変換部１４でイメージデータ定型フォーマットに変換され、ステップＳ５でＬＡＮ制御部１８からネットワーク上の外部記憶装置１９へデータ転送されて、そのデータが蓄積される。
【００１２】
本実施の形態における他のイメージスキャナ装置を説明する。
上述のイメージスキャナ装置は、予めアドレスを定めた外部記憶装置１９にデータ転送するように構成し、動作させたが、ＬＡＮに接続される任意の他の装置、例えば個人用のパソコンや端末にイメージデータ転送するようにしてもよい。
この場合の装置構成は図１と同じであり、図１では記載されていない任意の装置にファイルを転送することにする。その場合の主制御部１１が行う動作フローを図３に示す。
【００１３】
以下に図３に基づいて動作を説明する。
まずステップＳ５１で、パネル部１６等から読みとったイメージデータの転送先アドレスなどを指定する。
以降のステップＳ５２ないしＳ５５の動作は、図２のステップＳ２ないしＳ５と同等の動作をする。なお、ステップＳ５５ではファイル転送先として任意の外部記憶装置を選択した場合の動作フローである。
このようにすれば、インターネット上でファイル転送用に共通に使用されるプロトコルを使用して、インターネットを経由した広範囲へのイメージデータの転送が可能となる。
【００１４】
本実施の形態における更に他のイメージスキャナ装置を説明する。
イメージデータの転送先は、共有の外部記憶装置または個人のパソコンでなく、プリンタを指定し、先の指定プリンタでイメージ出力するようにしてもよい。その場合の接続構成図は図１においてファイルサーバ１９の代りにネットワーク接続のプリンタを配置したものである。
図４はそれに対応して主制御部１１が行う動作を説明するフローチャートである。図４において、まず、ステップＳ６１ではパネル部１６よりプリンタ出力を選択し、ステップＳ６２ではネットワーク上にあるプリンタに出力するためのアドレスなどのネットワーク情報を設定する。以降のステップＳ６３ないしＳ６５の動作は、図２のステップＳ２ないしＳ４と同等の動作をする。但し、ステップＳ６４は必要のない場合もある。そしてステップＳ６６では変換されたファイルを、所定のプロトコルを用いてネットワーク上のアドレス指定したプリンタへデータ転送する。
以上のように、ネットワーク上のネットワークプリンタを利用可能にすることでコピー機能を実現できる。
【００１５】
実施の形態２．
実施の形態１では、外部蓄積装置に蓄積されるイメージデータの圧縮方式やファイル形式が固定されている場合を説明したが、実施の形態２では、電子化するデータの用途により圧縮方式やファイル形式を選択する場合を説明する。
本実施の形態におけるイメージスキャナ装置の構成は図１に示されるものと同じである。ただ、主制御部が行う動作フローが異なる。
図５は、本実施の形態におけるイメージデータを外部蓄積装置に蓄積する際の動作フローである。
図において、まずステップＳ１１で、外部記憶装置を共有し、ステップＳ１２では蓄積するデータの圧縮方法の選択を行う。次にステップＳ１３でファイルの形式を指定することによって最終的に外部蓄積装置に蓄積されるデータのフォーマットを決定する。次のステップＳ１４以降のフローは、図２のステップＳ２以降と同様である。
【００１６】
ここで、圧縮方式の種類を具体的に説明すると例えば以下のようなものがある  ・ＭＨ方式（ｍｏｄｉｆ．．．）
・ＭＲ方式
・ＭＭＲ方式
・Ｑ−ＭＣｏｄｅｒ
・メーカー独自提供フォーマット
また、ファイルの形式の種類を説明すると例えば以下のようなものがある。
・ＴＩＦＦ（Ｔａｇｇｅｄ  Ｉｍａｇｅ  Ｆｉｌｅ  Ｆｏｒｍａｔ）Ｖｅｒ５．０、Ｖｅｒ６．０
・ＢＭＰ形式（ビットマップフォーマット）
・ＪＰＥＧ
等が挙げられる。
こうして圧縮の種類選択のステップ、またはフォーマットの選択のステップを追加することで電子データ運用者の要求に応じた形式での文書の電子化ができる。
【００１７】
フォーマット変換の具体例の１つを述べる。
図７は、フォーマット変換として、イメージデータをＨＴＭＬフォーマットに変換する場合の動作を説明するフローチャートである。図において、まず、ステップＳ７１ではパネル部１６よりＨＴＭＬフォーマットを選択する。ステップＳ７２、ステップＳ７３（必要のない場合もある）を経て、ステップＳ７４ではＨＴＭＬフォーマットへの変換を行う。ステップＳ７５で変換されたファイルをネットワーク上の外部記憶装置に蓄積する。
こうすれば、転送元でイメージデータをＨＴＭＬフォーマットに変換するので、ネットワーク上からＨＴＭＬデータを表示するブラウザを利用して複数のユーザがデータを閲覧できる。
【００１８】
上述の変換に加えて、メールフォーマットの変換も行う例を説明する。
図８は、イメージデータをメール装置で送信するフォーマットに変換する場合の動作を説明するフローチャートである。図において、ステップＳ８１でパネル部１６よりメール送信を選択し、ステップＳ８２でネットワーク上にあるメール装置に出力するためのネットワーク情報を設定する。以降ステップＳ８３ないしＳ８５までは図７のＳ７２ないしＳ７４までと同様の動作を行う。ステップＳ８６では、変換されたファイルを所定のプロトコルを用いてネットワーク上のメール装置へデータ転送する。
このようにすれば、イメージデータをネットワーク上の特定者にメール機能を用い確実に転送できる。
【００１９】
上述の実施の形態２におけるイメージスキャナ装置は、転送先の装置が指定する圧縮方式またはフォーマット形式を選択するようにしたが、これら転送先装置が複数ある場合に、その中から指定して選択し、転送するようにしてもよい。
図６はその場合の装置の動作を説明するフローチャートである。図６（ａ）は、イメージデータの転送先の登録フローであり、どの転送にどんなファイル形式で送るかを登録する。その後、図６（ｂ）の動作フローに従い、そのステップＳ３１で、外部記憶装置を共有のための情報を例えばパネル部１６より入力し、次に実際に蓄積するディレクトリの指定を前期同様にパネル部１６より行う。次のステップＳ３２以降は、図５のＳ１２以降と同様の手順で文書読み取り蓄積動作を行う。
以上のようにすれば電子化したいデータを運用者の意図する場所に生成することが可能となる。
【００２０】
実施の形態３．
上述の各実施の形態における装置は、イメージデータの読み取りを１度だけ行う場合を説明した。ここでは例えば複数の転送先に異なるファイル形式でイメージデータを転送するイメージスキャナ装置を説明する。
図９は、本実施の形態におけるイメージスキャナ装置の動作を説明するフローチャートである。図において、ステップＳ４１ではパネル部１６より電子化する文書を複数のファイル形式で蓄積するかの選択をさせ、もし複数選択をした場合はステップＳ４２で形式をパネル部１６で複数選択しファイル名を入力しスタートボタンを押す。
読み取りの１度目は、最初に指定されたファイル形式での処理Ｓ４４、Ｓ４５、Ｓ４６の処理を行う。複数のイメージデータの転送が指示されていて、次のファイル形式の指定がある場合には、一旦スキャナ部１５から読みとられたデータを消去せず次の指定のファイル形式での変換処理（前記Ｓ４４、Ｓ４５）を行い、指定された次の転送先にデータ転送する（Ｓ４６）。
以上のように、この発明に係わるイメージスキャナ装置によれば、保存用のファイルと一時的に運用するファイルが一回の読み取り動作で作成することができるメリットがある。
【００２１】
本実施の形態等に係るネットワーク接続イメージスキャナ装置は、装置に内蔵したプログラムに基づき動作及び接続制御する主制御部と、必要に応じて圧縮されたイメージ読み取りデータをフォーマット変換するフォーマット変換部と、ネットワークに接続して共有の外部記憶装置にフォーマット変換後のデータを転送するネットワーク制御部とを備えて、主制御部は、共有の外部記憶装置を出力先に設定する工程と、読み取ったイメージデータを所定のフォーマットに変換指示する工程と、このフォーマット変換後のデータを設定した外部記憶装置へ転送蓄積指示する工程とを備えた。
また更に、読み取ったイメージデータを所定の圧縮データに圧縮するデータ圧縮部を備えて、主制御部は、データ圧縮部またはフォーマット変換部に指示してイメージデータの圧縮の種類選択をする工程を付加した。
また更に、主制御部は、データ圧縮部またはフォーマット変換部に指示して所定の複数の外部記憶装置に対してそれぞれ必要なデータ蓄積方式に合わせてイメージ読み取りを繰り返し指示し、
複数回のイメージデータの読み取り毎に圧縮の種類選択をする工程と、フォーマット変換する工程とにおいて、対応する外部記憶装置のデータ蓄積方式に合わせてイメージデータの圧縮と、フォーマット変換を行って後、転送するようにした。
【図面の簡単な説明】
【００２２】
【図１】本発明のネットワーク接続イメージスキャナ装置の構成とネットワークへの接続の例を示す図である。
【図２】実施の形態１におけるネットワーク接続イメージスキャナ装置の動作を示すフローチャート図である。
【図３】実施の形態１の他のネットワーク接続イメージスキャナ装置の動作を示すフローチャート図である。
【図４】実施の形態１の他のネットワーク接続イメージスキャナ装置の動作を示すフローチャート図である。
【図５】実施の形態２のにおけるネットワーク接続イメージスキャナ装置の動作を示すフローチャート図である。
【図６】実施の形態２の他のネットワーク接続イメージスキャナ装置の動作を示すフローチャート図である。
【図７】実施の形態２の他のネットワーク接続イメージスキャナ装置の動作を示すフローチャート図である。
【図８】実施の形態２の他のネットワーク接続イメージスキャナ装置の動作を示すフローチャート図である。
【図９】実施の形態３におけるネットワーク接続イメージスキャナ装置の動作を示すフローチャート図である。
【図１０】従来の独立型のイメージスキャナ装置の構成を示す図である。
【符号の説明】
【００２３】
１１  イメージスキャナ主制御部（ＣＰＵ）、１２  プログラム格納部（ＲＯＭ）、１３  記憶部（ＲＡＭ）、１４  フォーマット変換部、１５  スキャナ部、１７  データの圧縮部、１８  ＬＡＮ制御部、１９  ファイルサーバ（外部記憶装置）。
【図１】
2005102248.tif 000003
【図２】
2005102248.tif 000004
【図３】
2005102248.tif 000005
【図４】
2005102248.tif 000006
【図５】
2005102248.tif 000007
【図６】
2005102248.tif 000008
【図７】
2005102248.tif 000009
【図８】
2005102248.tif 000010
【図９】
2005102248.tif 000011
【図１０】
2005102248.tif 000012
【手続補正書】
【提出日】平成16年11月18日(2004.11.18)
【手続補正１】
【補正対象書類名】明細書
【補正対象項目名】００１５
【補正方法】変更
【補正の内容】
【００１５】
実施の形態２．
実施の形態１では、外部蓄積装置に蓄積されるイメージデータの圧縮方式やフォーマット形式が固定されている場合を説明したが、実施の形態２では、電子化するデータの用途により圧縮方式やフォーマット形式を選択する場合を説明する。
本実施の形態におけるイメージスキャナ装置の構成は図１に示されるものと同じである。ただ、主制御部が行う動作フローが異なる。
図５は、本実施の形態におけるイメージデータを外部蓄積装置に蓄積する際の動作フローである。
図において、まずステップＳ１１で、外部記憶装置を共有し、ステップＳ１２では蓄積するデータの圧縮方法の選択を行う。次にステップＳ１３でフォーマットの形式を指定することによって最終的に外部蓄積装置に蓄積されるデータのフォーマットを決定する。次のステップＳ１４以降のフローは、図２のステップＳ２以降と同様である。
【手続補正２】
【補正対象書類名】明細書
【補正対象項目名】００１６
【補正方法】変更
【補正の内容】
【００１６】
ここで、圧縮方式の種類を具体的に説明すると例えば以下のようなものがある。
・ＭＨ方式（ｍｏｄｉｆ．．．）
・ＭＲ方式
・ＭＭＲ方式
・Ｑ−ＭＣｏｄｅｒ
・メーカー独自提供フォーマット
また、フォーマット形式の種類を説明すると例えば以下のようなものがある。
・ＴＩＦＦ（Ｔａｇｇｅｄ  Ｉｍａｇｅ  Ｆｉｌｅ  Ｆｏｒｍａｔ）Ｖｅｒ５．０、Ｖｅｒ６．０
・ＢＭＰ形式（ビットマップフォーマット）
・ＪＰＥＧ
等が挙げられる。
こうして圧縮の種類選択のステップ、またはフォーマットの選択のステップを追加することで電子データ運用者の要求に応じた形式での文書の電子化ができる。
【手続補正３】
【補正対象書類名】明細書
【補正対象項目名】００２０
【補正方法】変更
【補正の内容】
【００２０】
実施の形態３．
上述の各実施の形態における装置は、イメージデータの読み取りを１度だけ行う場合を説明した。ここでは例えば複数の転送先に異なるフォーマット形式でイメージデータを転送するイメージスキャナ装置を説明する。
図９は、本実施の形態におけるイメージスキャナ装置の動作を説明するフローチャートである。図において、ステップＳ４１ではパネル部１６より電子化する文書を複数のフォーマット形式で蓄積するかの選択をさせ、もし複数選択をした場合はステップＳ４２で形式をパネル部１６で複数選択し、フォーマット名を入力しスタートボタンを押す。
読み取りの１度目は、最初に指定されたフォーマット形式での処理Ｓ４４、Ｓ４５、Ｓ４６の処理を行う。複数のイメージデータの転送が指示されていて、次のフォーマット形式の指定がある場合には、一旦スキャナ部１５から読み取られたデータを消去せず次の指定のフォーマット形式での変換処理（前記Ｓ４４、Ｓ４５）を行い、指定された次の転送先にデータ転送する（Ｓ４６）。
以上のように、この発明に係わるイメージスキャナ装置によれば、保存用のファイルと一時的に運用するファイルが一回の読み取り動作で作成することができるメリットがある。
【手続補正４】
【補正対象書類名】図面
【補正対象項目名】図９
【補正方法】変更
【補正の内容】
【図９】
2005102248.tif 000013